(57)【要約】【課題】高齢者が一人で通常の靴下を容易に履くことができ、高齢者が使い易い靴下装着補助具を提供する。【解決手段】一対の棒状部材３、４とこの一対の棒状部材３、４の第１端部に連結した連結棒６とこの一対の棒状部材３、４の第２端部に結合したＵ字部５とで構成した主フレーム２と、この主フレーム２に回動可能に支持した靴下の上面および両側面を保持する波形フレームで構成した保持フレーム１０と、主フレーム２のＵ字部５に設けた靴下のかかと部を保持する係止部７を備えた。【選択図】図１
2011120675.tif 000002
【特許請求の範囲】
【請求項１】
一対の棒状部材とこの一対の棒状部材の第１端部に連結した連結棒と前記一対の棒状部材の第２端部に結合したＵ字部とで構成した主フレームと、
この主フレームに回動可能に支持した靴下の上面および両側面を保持する波形フレームで構成した保持フレームと、
前記主フレームのＵ字部に設けた靴下のかかと部を保持する係止部とから構成された靴下装着補助具。
【請求項２】
前記主フレームに固定した下部フレームと、前記保持フレームの先端部上部と後端部上部の間に設けた上部ベルトと、前記Ｕ字部の中央と前記下部フレーム中央部の間に設けた下部ベルトとを備えた請求項１に記載の靴下装着補助具。
【請求項３】
前記保持フレームの波形フレームの形状が先端部側より後端部側の方が山谷の高低差を大きくした請求項１乃至請求項２に記載の靴下装着補助具。
【請求項４】
前記一対の棒状部材が直線部と湾曲部で構成された請求項１乃至請求項３に記載の靴下装着補助具。
【請求項５】
前記一対の棒状部材が直線部のみで構成された請求項１乃至請求項３に記載の靴下装着補助具。
【発明の詳細な説明】
【技術分野】
【０００１】
この発明は、一人では靴下をうまく履けない高齢者が、一人でも靴下を容易に履くことができる靴下装着補助具に関するものである。
【背景技術】
【０００２】
従来の靴下装着補助具は、把持部と先端部の係止部および拡開部から構成され、あらかじめ靴下の開口部を係止部および拡開部に折り曲げて覆い被せた後、把持部を手前に引き寄せることで足の爪先から足首およびかかとまで靴下を被せる構造となっている（例えば、特許文献１参照）。
【先行技術文献】
【特許文献】
【０００３】
【特許文献１】特開２００４−１０５２９２号公報
【発明の概要】
【発明が解決しようとする課題】
【０００４】
従来の上記靴下装着補助具は、あらかじめ靴下の開口部を係止部および拡開部に指先で折り曲げて覆い被せて、靴下を履いた後にも靴下の開口部を外す必要があり、また、拡開部に係止した靴下の先端部は平たくなった状態であるため、高齢者には使いにくいという課題があった。
【０００５】
この発明は上記のような課題を解決するためになされたものであり、高齢者が一人で靴下を履くことができ、高齢者が使い易い靴下装着補助具を提供することを目的とする。
【課題を解決するための手段】
【０００６】
この発明に係る靴下装着補助具は、一対の棒状部材とこの第１端部に連結した連結棒とこの第２端部に結合したＵ字部とで構成した主フレームと、この主フレームに回動可能に支持した靴下の上面および両側面を保持する波形フレームで構成した保持フレームと、主フレームのＵ字部に設けた靴下のかかと部を保持する係止部を備えたものである。
【発明の効果】
【０００７】
この発明に係る靴下装着補助具は、主フレームに回動可能に支持した靴下の上面および両側面を保持する波形フレームで構成した保持フレームと、靴下のかかと部を保持する主フレームのＵ字部および係止部を備えているため、靴下を保持フレームとＵ字部および係止部に被せることが容易で、足を靴下内に容易に挿入でき、また靴下内に足先を挿入していくだけで靴下が補助具から外れて、靴下装着後も靴下の開口部を外す必要がなく、靴下を高齢者が一人で容易に履くことができ、使い易いという効果がある。
【図面の簡単な説明】
【０００８】
【図１】この発明の実施の形態１に係る靴下装着補助具の全体構成を示す斜視図である。
【図２】この発明の実施の形態１に係る靴下装着補助具の全体構成を示す平面図および正面図である。
【図３】この発明の実施の形態１に係る靴下装着補助具の全体構成を示す左側面図である。
【図４】この発明の実施の形態１に係る靴下装着補助具の全体構成を示す正面図である。
【図５】この発明の実施の形態１に係る靴下装着補助具の使用手順を示す図である。
【図６】この発明の実施の形態１に係る靴下装着補助具の使用手順を示す図である。
【図７】この発明の実施の形態１に係る靴下装着補助具の使用手順を示す図である。
【図８】この発明の実施の形態１に係る靴下装着補助具の使用手順を示す図である。
【図９】この発明の実施の形態１に係る靴下装着補助具の使用手順を示す図である。
【図１０】この発明の実施の形態２に係る靴下装着補助具の全体構成を示す斜視図である。
【発明を実施するための形態】
【０００９】
実施の形態１．
図１はこの発明の実施の形態１に係る靴下装着補助具１の全体構成の斜視図、図２は平面図および正面図、図３は左側面図である。
靴下装着補助具１の全体構成を説明する。
主フレーム２は、直線部と湾曲部から成る一対の棒状部材３、４と、一対の棒状部材３、４の第１端部である直線部の端部に連結された連結棒６と、一対の棒状部材３、４の第２端部である湾曲部の端部に結合したＵ字部５を備える。Ｕ字部５は、一対の棒状部材３、４の直線部が構成する平面に対して略平行となる面を構成するように、一対の棒状部材３、４の第２端部に結合され、Ｕ字部５の先端部は一対の棒状部材３、４の直線部が構成する平面に対して略垂直方向で連結棒６側の湾曲部を有する。Ｕ字部５の湾曲部の中央先端部には、Ｕ字部５の湾曲部と共に靴下のかかと部を保持するコの字形の係止部７が一対の棒状部材３、４の直線部が構成する平面に向けて固定されている。
以下、一対の棒状部材３、４の直線部が構成する平面に対して、Ｕ字部５の湾曲した先端部に固定された係止部７が向いている方向側を下側、その反対側を上側と定義して説明する。
【００１０】
靴下の上面と両側面を保持する保持フレーム１０は、円弧型の保持フレーム先端部１０ａ、半円型の保持フレーム後端部１０ｂおよび保持フレーム回動中心部１０ｃを持ち、この保持フレーム先端部１０ａと保持フレーム後端部１０ｂの間を波形フレームで構成され、主フレーム２の湾曲部の端部付近の回転軸１１を中心に回動可能に支持されている。この実施の形態１では、保持フレーム１０は保持フレーム先端部１０ａと保持フレーム後端部１０ｂの間に３つの山１０ｅ、１０ｇ、１０ｊと３つの谷１０ｄ、１０ｆ、１０ｈがあり、保持フレーム先端部１０ａ側より保持フレーム後端部１０ｂ側の方が山の高さと谷の深さが大きくなるようにしている。
【００１１】
主フレーム２の湾曲部の端部付近にコの字型の下部フレーム８が下部方向に固定され、この下部フレーム８を補強するために、補強フレーム９が補強フレーム９、主フレーム２および下部フレーム８と三角形を構成するように固定されている。また、後に説明する下部ベルト２２を保持するために下部フレーム８の中央部に凹部が設けられている。
靴下の上部を内側から保持して、靴下を履きやすいようにするために、上部ベルト２１が保持フレーム１０の保持フレーム先端部１０ａの上部中央と保持フレーム後端部１０ｂの上部中央の間に設けられている。また、足のかかと部が靴下内に入りやすいように下部ベルト２２がＵ字部５の湾曲部中央と下部フレーム８の中央部の間に設けられている。
【００１２】
靴下装着補助具１の各構成部品の材質は、主フレーム２の一対の棒状部材３、４、Ｕ字部５、係止部７、下部フレーム８、補強フレーム９、おおび保持フレーム１０は金属製、連結棒６は握り易い木製、上部ベルト２１および下部ベルト２２は柔軟性があり、丈夫な布製である。
【００１３】
次に図４で、靴下装着補助具１を保管する場合の状態を説明する。
図４は図２の通常状態から保持フレーム１０を下部方向に略１８０度回動させて、保持フレーム後端部１０ｂと下部フレーム８を当接させた状態である。
靴下装着補助具１を保管する際は、図４の状態にすることで、狭い場所に収納することができる。
【００１４】
次に、この実施の形態１の靴下装着補助具１を使用して、靴下を履く手順を説明する。
図５は靴下を履く前の状態を示す図、図６乃至図８は靴下を履く途中の状態を示す図、図９は靴下を履き終わった状態を示す図である。
椅子に座り、先に説明した通常状態（図２参照）の靴下装着補助具１の保持フレーム１０側を上にして床上に置く。図５に示すように靴下５１を保持フレーム１０とＵ字部５および係止部７に被せる。靴下をしっかりと履くことができるように、靴下５１の開口部の上部を保持フレーム１０の３つ目の山１０ｊに、また靴下５１のかかと部をＵ字部５および係止部７に深く被せて、靴下の先端部をたぐり寄せる。ここで、保持フレーム１０、Ｕ字部５および係止部７に被せた靴下は、その内部が上部ベルト２１および下部ベルト２２により、押し広げられた状態となる。
【００１５】
靴下５１が被せられた靴下装着補助具１を、連結棒６側が上になるように体の前面に持ってくる。靴下装着補助具１を斜めにして、片手で連結棒６を持ち、主フレーム２のＵ字部５、係止部７を床に置いて、足６１の爪先を上部ベルト２１および下部ベルト２２に沿って、靴下内に挿入する（図６参照）。
連結棒６を握ったまま、足６１を爪先から更に靴下５１の中に滑らせて、足６１のかかとをＵ字部５に乗せる（図７参照）。
【００１６】
連結棒６を握ったまま、靴下装着補助具１を手前に引き寄せながら、足６１を爪先から更に靴下５１の中に滑らせると、足６１の足先が靴下５１の先端部に届いた状態となる（図８参照）。
更に靴下装着補助具１を手前に引き寄せることで、靴下５１は保持フレーム１０、Ｕ字部５および係止部７から外れて、靴下の装着が完了する。
足６１を爪先から靴下の中に滑らせる時に、保持フレーム１０の波形フレームとＵ字部５および係止部７は、被せられた靴下５１を適切な摩擦力で保持するため、靴下５１を足６１にしっかりと履くことができる。
靴下５１を履いた足を靴下装着補助具１から引き抜く時は、連結棒６を握って、足６１を引きながら、靴下装着補助具１を押し出すと、自然に保持フレーム１０が下部方向に少し回動して、足を簡単に引く抜くことができる。
もう片方の靴下を同様の手順で履く。
【００１７】
この実施の形態１に係る靴下装着補助具１は、主フレーム２に回動可能に支持した靴下の上面および両側面を保持する波形フレームで構成した保持フレーム１０と、靴下のかかと部を保持するＵ字部５および係止部７を備えているため、靴下を保持フレーム１０とＵ字部５および係止部７に被せることが容易であり、足を靴下内に容易に挿入でき、また靴下内に足先を挿入していくだけで靴下が靴下装着補助具１から外れるため、靴下を高齢者が一人で容易に履くことができ、使い易い。
更に、靴下を広げて足先の挿入を容易にするために設けた上部ベルト２１と、足のかかと部の挿入を容易にするために設けた下部ベルト２２を備えているため、上部ベルト２１および下部ベルト２２に沿って足を靴下内に更に容易に挿入できるので、靴下を高齢者が一人で容易に履くことができ、一層使い易い。
【００１８】
この実施の形態１では、保持フレーム１０の波形フレームとして３つの山および３つの谷を設けたが、山谷の数は２つでも４つ以上でもよい。
【００１９】
実施の形態２．
図１０は、実施の形態２に係る靴下装着補助具３１の全体構成の斜視図である。
実施の形態１では、主フレーム２は湾曲部を持つ棒状部材３，４を有していたが、実施の形態２では、湾曲部がない直線部のみとしている。実施の形態１と実施の形態２の差異は棒状部材が湾曲部を有するか直線部のみかであり、これ以外は実質的に同一であるため、靴下を履く手順も実施の形態１で説明した手順と同様である。
【００２０】
この実施の形態２に係る靴下装着補助具３１は、主フレーム３２に回動可能に支持した靴下の上面および両側面を保持する波形フレームで構成した保持フレーム１０と、靴下のかかと部を保持するＵ字部３５および係止部３７を備えているため、靴下を保持フレーム１０とＵ字部３５および係止部３７に被せることが容易であり、足を靴下内に容易に挿入でき、また靴下内に足先を挿入していくだけで靴下が靴下装着補助具３１から外れるため、靴下を高齢者が一人で容易に履くことができ、使い易い。
更に、靴下を広げて足先の挿入を容易にするために設けた上部ベルト２１と、足のかかと部の挿入を容易にするために設けた下部ベルト２２を備えているため、上部ベルト２１および下部ベルト２２に沿って足を靴下内に更に容易に挿入できるので、靴下を高齢者が一人で容易に履くことができ、一層使い易い。
【００２１】
実施の形態１の靴下装着補助具１は、主フレーム２が湾曲しているため、膝が曲がりにくい人に使い易いという特徴がある。
一方、実施の形態２の靴下装着補助具３１は、主フレーム３２は直線状であるため、実施の形態１の靴下装着補助具１に比較して構造が簡単で、製作が容易である。
【符号の説明】
【００２２】
１，３１  靴下装着補助具、２，３２  主フレーム、３，４，３３，３４  棒状部材、５，３５  Ｕ字部、６，３６  連結棒、７，３７  係止部、８，３８  下部フレーム、
１０  保持フレーム、１０ａ  保持フレーム先端部、１０ｂ  保持フレーム後端部、
１１  回動軸、２１  上部ベルト、２２  下部ベルト、５１  靴下、６１  足。
【図１】
2011120675.tif 000003
【図２】
2011120675.tif 000004
【図３】
2011120675.tif 000005
【図４】
2011120675.tif 000006
【図５】
2011120675.tif 000007
【図６】
2011120675.tif 000008
【図７】
2011120675.tif 000009
【図８】
2011120675.tif 000010
【図９】
2011120675.tif 000011
【図１０】
2011120675.tif 000012